(57)【要約】【課題】アプリケーションプロトコルに依存したタイマー値に基づきアドレス組の生存時間を把握し、ＮＡＴ装置に対してアドレス組の生存時間を指定し、アドレス組の登録・解放を要求できる機能を有するＡＬＧ装置を提供する。【解決手段】ＡＬＧ装置（４０）ではアプリケーションプロトコル上に設定されているタイマー関連の情報を読み込みアドレス組の生存時間を取得し、ＡＬＧ装置からＮＡＴ装置（３０）に対するアドレス組の登録要求に取得した生存時間を含めて指定する。ＮＡＴ装置においては、ＡＬＧ装置から設定された生存時間に基づきアドレス組毎にタイマーを設定し、タイマー満了になり次第解放する処理とする。また、ＡＬＧでは、取得するアプリケーションレイヤのプロトコル情報に記述されたタイマー関連の情報に、タイムラグ分のラウンドトリップ時間等を加算して、アドレス組の生存時間の計算を行う。【選択図】        図１
2004166031.tif 000002
【特許請求の範囲】
【請求項１】
ＩＰアドレス形式の異なる２つのネットワークの間の通信において、送信元ネットワークのＩＰアドレス形式のＩＰアドレスに対し、送信先ネットワークのＩＰアドレス形式のＩＰアドレスを払い出し、双方のアドレスを組として管理し、ネットワークレイヤのＩＰアドレス変換を行うＮＡＴ（Ｎｅｔｗｏｒｋ  Ａｄｄｒｅｓｓ  Ｔｒａｎｓｌａｔｏｒ）装置と接続され、
アプリケーションレイヤに記述されたＩＰアドレスの変換を行うため、前記ＮＡＴ装置に対して、送信元形式のＩＰアドレスに対する送信先形式のＩＰアドレスの払い出しと、それらのアドレス組の登録要求、及びアドレス組が不要になった場合に、アドレス組の解放要求を行うアプリケーションレベルゲートウェイ（ＡＬＧ）装置であって、
前記ＮＡＴ装置に対してアドレス組を登録する場合、各アプリケーションレイヤのプロトコル情報に記述されたタイマー関連の情報を読み込み、アドレス組の生存時間を取得することで、前記ＮＡＴ装置に対しアドレス組の登録時に同時にアドレス組の生存時間を指定できるようにしたことを特徴とするＡＬＧ装置。
【請求項２】
請求項１に記載のＡＬＧ装置であって、
ＩＰアドレス形式の異なる２つのネットワーク（ネットワーク１とネットワーク２）において、ネットワーク１側の端末を使用しているユーザが、ネットワーク２側のアプリケーションサーバに対して、ＮＡＴ装置及びＡＬＧ装置を介し、ネットワーク１側のＩＰアドレス形式からネットワーク２側のＩＰアドレス形式に変換させ、前記端末のＩＰアドレスを登録する場合、
前記ＮＡＴ装置においてアドレス組が登録される時刻と、前記アプリケーションサーバに、前述の変換を施された端末のＩＰアドレスが登録される時刻にタイムラグがあることを考慮し、
請求項１において取得するアプリケーションレイヤのプロトコル情報に記述されたタイマー関連の情報に、前記タイムラグ分のラウンドトリップ時間等を加算し、前記ＮＡＴ装置に対してアドレス組の登録を行うことで、
アプリケーションサーバにおける、前記端末のＩＰアドレスの解放時刻に対応して、ＮＡＴ装置で管理するアドレス組の解放時刻の調整を可能としたＡＬＧ装置。
【発明の詳細な説明】
【０００１】
【発明の属する技術分野】
インターネットプロトコルバージョン４（ＩＰｖ４）ネットワークとインターネットプロトコルバージョン６（ＩＰｖ６）ネットワークとの通信、また、ＩＰｖ４プライベートネットワークとＩＰｖ４グローバルネットワークとの通信など、ＩＰアドレス形式の異なる２つのネットワークの間の通信におけるアドレス変換機能に関する。
【０００２】
【従来の技術】
従来のＡＬＧ（アプリケーションレベルゲートウェイ）装置では、ＮＡＴ（Ｎｅｔｗｏｒｋ  Ａｄｄｒｅｓｓ  Ｔｒａｎｓｌａｔｏｒ）装置に対してアドレス組の登録・解放を行う場合、ＡＬＧ装置からアドレス組を登録し、ＮＡＴ装置において一律に管理されているタイマー値により解放する手段（手段１）か、ＡＬＧ装置からアドレス組を登録し、ＡＬＧ装置のアドレス変換処理の終了時など何らかの契機で、ＡＬＧ装置からアドレス組の解放要求を送信することにより、アドレス組を解放する手段（手段２）の２つであった。先行技術文献としては非特許文献１がある。
なお、本発明者（他の発明者を含む）による関連出願として、関連出願１がある。
【０００３】
【非特許文献１】
ＩＥＴＦ、“ＲＦＣ３３０３”、［ｏｎｌｉｎｅ］、［平成１４年１１月８日検索］インターネット＜ｈｔｔｐ：／／ｗｗｗ．ｉｅｔｆ．ｏｒｇ／ｒｆｃ／ｒｆｃ３３０３．ｔｘｔ？ｎｕｍｂｅｒ＝３３０３＞
【関連出願１】
特願２００２−１３２２１３号（同一番号移行サービスの提供方法およびメディアゲートウェイコントローラ）
【０００４】
【発明が解決しようとする課題】
ユーザがあるアプリケーションサーバにＩＰアドレスを登録し、登録後はそのＩＰアドレスを用いて当該ユーザヘのアクセスを行うといったサービスを行う場合、ユーザがＩＰアドレス形式の異なる２つのネットワークを跨いで、アプリケーションサーバにＩＰアドレスを登録すると、ＮＡＴ及びＡＬＧ装置を介するため、送信元ネットワークのＩＰアドレスの形式から、送信先ネットワークのＩＰアドレス形式に変換されたＩＰアドレスがアプリケーションサーバに登録される。
【０００５】
また、アプリケーションサーバで管理しているアプリケーションによっては、当該アプリケーションプロトコル上に設定されたタイマー値に基づき、登録するＩＰアドレスの生存時間を設定するが、それはユーザ毎に異なり、しかも数時間であることが多い。
【０００６】
しかし、ＡＬＧ装置からＮＡＴ装置へのアドレス組の登録・解放が前記手段１の場合、ＮＡＴで一律に設定されているタイマー値によりアドレス組が解放されてしまい、解放後はアプリケーションサーバから当該ユーザヘのアクセスができなくなるため、基本的に本ケースでは用いることはできない。
【０００７】
一方、前記手段２を用いることは可能であるが、アプリケーションサーバでのユーザ登録情報の生存時間が満了した時点で、アドレス組が不要になるため、ＡＬＧ装置からＮＡＴ装置に対してアドレス組の解放要求を行わなければならないが、アプリケーションプロトコルに設定されたタイマー値の時間中、ＡＬＧ装置ではアドレス組の登録・解放機能に関するプロセスを保持しておかなければならない。
【０００８】
従って、ＡＬＧ装置では、アプリケーションプロトコルに依存したタイマー値に基づきアドレス組の生存時間を把握し、ＮＡＴ装置に対してアドレス組の生存時間を指定し、アドレス組の登録・解放を要求できる機能が要望される。
【０００９】
【課題を解決するための手段】
このような課題を解決するために、ＡＬＧ装置ではアプリケーションプロトコル上に設定されているタイマー関連の情報を読み込みアドレス組の生存時間を取得し、ＡＬＧ装置からＮＡＴ装置に対するアドレス組の登録要求に取得した生存時間を含めて指定する。ＮＡＴ装置においては、ＡＬＧ装置から設定された生存時間に基づきアドレス組毎にタイマーを設定し、タイマー満了になり次第解放する処理とする。
【００１０】
また、ＮＡＴ装置においてアドレス組が登録される時刻と、アプリケーションサーバにＩＰアドレスが登録される時刻にタイムラグがあることも考慮し、ＡＬＧでは、取得するアプリケーションレイヤのプロトコル情報に記述されたタイマー関連の情報に、タイムラグ分のラウンドトリップ時間等を加算して、アドレス組の生存時間の計算を行う。
本手段により、ＡＬＧ装置では、アプリケーションレイヤに設定されたタイマー値の時間中、プロセスを保持する必要がないため、効率よく処理を行うことができる。
【００１１】
【発明の実施の形態】
本発明の対象となるネットワーク構成を図１に示す。図１において、具体例を示すため、アプリケーションレイヤのプロトコルがＲＦＣ３２６１、ＲＦＣ２５４３のＳｅｓｓｉｏｎ  Ｉｎｉｔｉａｔｉｏｎ  Ｐｒｏｔｏｃｏｌ（ＳＩＰ）の場合を例に挙げ説明する。
【００１２】
ＩＰｖ６ネットワーク（１０）と、ＩＰｖ４ネットワーク（２０）が、ＮＡＴ装置（３０）を介して接続されている。ＮＡＴ装置（３０）はＩＰアドレスの変換、ルーティング制御を行うＮＡＴ機能（３１）、またアドレス組を管理する管理テーブル（３２）を配備している。
【００１３】
また、ＮＡＴ装置（３０）は、ＳＩＰプロトコル解析機能（４１）と、アドレス組登録・解放機能（４２）が配備され、ＳＩＰに対応したＡＬＧ装置（ＳＩＰ−ＡＬＧ装置（４０））と接続されており、ＮＡＴ装置（３０）に対してＳＩＰメッセージ内のＩＰアドレス変換用のアドレス組を登録・解放することができる。
【００１４】
また、ＩＰｖ６ネットワーク（１０）には、ＳＩＰを実装したＩＰ電話機（１１）、ＩＰ電話機（１２）が配備されており、それぞれＩＰｖ６アドレスが、３０００：：１、３０００：：２と設定されている。
【００１５】
ＩＰｖ４ネットワーク（２０）には、ユーザの登録受付機能（２２）、ユーザ情報管理機能（２３）、ユーザ情報管理テーブル（２４）、呼処理機能（２５）を含んだ、ＳＩＰサーバ（２１）、ＩＰ電話機（２６）が配備されており、ＳＩＰサーバ（２１）、ＩＰ電話機（２６）はそれぞれＩＰｖ４アドレスが１２８．０．０．１、１２８．０．０．２と設定されている。
【００１６】
なお、ＩＰｖ６ネットワーク（１０）から、ＩＰｖ４ネットワーク（２０）のＳＩＰサーバ（２１）にアクセスできるようＮＡＴ装置（３０）はあらかじめＳＩＰサーバ（２１）のＩＰｖ４アドレス（１２８．０．０．１）に対して払い出したＩＰｖ６アドレス（３０００：：８０００：１）を組として、管理テーブル（３２）に静的に設定しており、また、ＮＡＴ装置（３０）はあらかじめＳＩＰ信号を受信したら、ＳＩＰ−ＡＬＧ装置（４０）に転送するよう設定している。
【００１７】
図２〜図６を用いて、ＩＰ電話機（１１）からＳＩＰサーバ（２１）に、ユーザ情報登録メッセージ（ＲＥＧＩＳＴＥＲメッセージ）を送信して、ＳＩＰサーバ（２１）にユーザ情報を登録する場合の処理例を示す。図においては、Ｓ１〜Ｓ２７の番号順に動作が行われる。なお、図において記述しているＲＥＧＩＳＴＥＲメッセージ、２００  ＯＫメッセージは、主に本発明に必要な部分を記述し簡略化している。
【００１８】
ＩＰ電話機（１１）を用いているユーザ（ユーザＡ）が、ＳＩＰサーバ（２１）に対してユーザ情報を登録する場合、ユーザアドレス、使用している電話機のＩＰｖ６アドレスなどをＳＩＰヘッダに設定し、ＲＥＧＩＳＴＥＲメッセージ１（５０）のようなヘッダ構成のＲＥＧＩＳＴＥＲメッセージを編集する（Ｓ１）。
【００１９】
次に、ＩＰ電話機（１１）からＳＩＰサーバ（２１）にＲＥＧＩＳＴＥＲメッセージ１を送信するため、ネットワークレイヤの送信先ＩＰｖ６アドレスに、ＳＩＰサーバ（２１）のＩＰｖ６アドレス（３０００：：８０００：１）、送信元アドレスにＩＰ電話機（１１）のＩＰｖ６アドレス（３０００：：１）を設定し、ＲＥＧＩＳＴＥＲメッセージ１を送信する（Ｓ２）。
【００２０】
ＩＰ電話機（１１）からＲＥＧＩＳＴＥＲメッセージ１が送信されると、まずＮＡＴ装置（３０）が受信し、ＮＡＴ機能（３１）が起動される。ＮＡＴ機能（３１）がＳＩＰ信号であることを判別すると、ＳＩＰ−ＡＬＧ装置（４０）に向けてＲＥＧＩＳＴＥＲメッセージ１を転送する（Ｓ３）。
【００２１】
ＳＩＰ−ＡＬＧ装置（４０）ではＮＡＴ装置（３０）から転送されたＲＥＧＩＳＴＥＲメッセージ１を受信すると、ＳＩＰプロトコル解析機能（４１）がＳＩＰヘッダの解析を行い、ＩＰｖ６アドレス及び、ＩＰｖ４アドレス形式で記述されているＳＩＰヘッダを抽出する。ここでは、ＲＥＧＩＳＴＥＲメッセージ１（５０）のようなヘッダ構成になっているため、ＩＰｖ６アドレス形式で設定されているＶｉａヘッダと、ＣｏｎｔａｃｔヘッダのＩＰｖ６アドレス（３０００：：１）を抽出する。また、ＳＩＰサーバ（２１）に保持されるユーザ情報の生存時間について、Ｅｘｐｉｒｅｓヘッダを参照することにより３６００［秒］を取得し、それらの情報をアドレス組登録・解放機能（４２）に渡す（Ｓ４）。
【００２２】
アドレス組登録・解放機能（４２）では、ＮＡＴ装置（３０）にアドレス組が登録されてから、ＳＩＰサーバ（２１）でユーザ情報を登録するまでにタイムラグがあることを想定し、３６００［秒］に対してある程度のラウンドトリップタイムとして想定される時間を加算する。本例では仮に２［秒］とし、生存時間を３６０２［秒］と計算する。その後、アドレス組登録・解放機能（４２）はＩＰｖ６アドレス（３０００：：１）と、生存時間（３６０２［秒］）を設定し、ＮＡＴ装置（３０）に対してＩＰｖ６アドレスに対するＩＰｖ４アドレスの払い出し要求、及びＩＰｖ６アドレスと払い出されたＩＰｖ４アドレスの登録要求（アドレス組登録要求）を送信する（Ｓ５）。
【００２３】
アドレス組登録要求を受信した、ＮＡＴ装置（３０）では、ＮＡＴ機能（３１）が起動され、要求されたＩＰｖ６アドレス（３０００：：１）に対するＩＰｖ４アドレスとして１２９．０．０．１を払い出し（Ｓ６）、その後ＩＰｖ６アドレス（３０００：：１）と払い出されたＩＰｖ４（１２９．０．０．１）のアドレス組、及びそのアドレス組の生存時間（３６０２［秒］）を管理テーブル（３２）に登録する（Ｓ７）。
【００２４】
また、ＮＡＴ機能（３１）は、ＩＰｖ６アドレス（３０００：：１）に対して払い出したＩＰｖ４アドレス（１２９．０．０．１）を設定し、アドレス組登録要求に対する応答をＳＩＰ−ＡＬＧ装置（４０）のアドレス組登録・解放機能（４２）に対して返送する（Ｓ８）。
【００２５】
アドレス組登録要求に対する応答を受信したアドレス組登録・解放機能（４２）は返送されたＩＰｖ４アドレス（１２９．０．０．１）をＳＩＰプロトコル解析機能（４１）に渡す（Ｓ９）。
【００２６】
ＳＩＰプロトコル解析機能（４１）はＳＩＰヘッダの解析を行い、Ｖｉａヘッダ、Ｃｏｎｔａｃｔヘッダに記述されているＩＰｖ６アドレス（３０００：：１）をＩＰｖ４アドレス（１２９．０．０．１）に変換し（Ｓ１０）、ＲＥＧＩＳＴＥＲメッセージ２をＮＡＴ装置（３０）に向けて送信する（Ｓ１１）。
【００２７】
ＲＥＧＩＳＴＥＲメッセージ２を受信したＮＡＴ装置（３０）では、ＮＡＴ機能（３１）が起動され、ネットワークレイヤに設定されたＩＰｖ６アドレス（３０００：：８０００：１）に対して管理テーブル（３２）を参照し、ＩＰｖ４アドレス（１２８．０．０．１）に変換する。また、送信元のＩＰｖ６アドレス（３０００：：１）についてもそのままの形式では、ＩＰｖ４ネットワークに送信できないため、管理テーブル（３２）を参照することで、ＳＩＰ−ＡＬＧ装置からのアドレス組要求の際に払い出したＩＰｖ４アドレス（１２９．０．０．１）に変換し（Ｓ１２）、ＳＩＰサーバ（２１）に対してＲＥＧＩＳＴＥＲメッセージ２を送信する（Ｓ１３）。
【００２８】
ＳＩＰサーバ（２１）では、ＲＥＧＩＳＴＥＲメッセージ２を受信すると、ユーザ情報受付機能（２２）が、ＲＥＧＩＳＴＥＲメッセージを解析し、Ｔｏヘッダに書かれているユーザアドレス（ｕｓｅｒ−ａ＠ｉｐｖ６．ｎｅｔ）と、ＣｏｎｔａｃｔヘッダのＩＰｖ４アドレス（１２９．０．０．１）、またＥｘｐｉｒｅｓヘッダから生存時間（３６００秒）を抽出し、ユーザ情報管理機能（２３）に対しそれらの情報を受け渡す（Ｓ１４）。
【００２９】
ユーザ情報管理機能（２３）は、ユーザアドレスとＩＰｖ４アドレスの対応関係及び、それらの対応関係の生存時間をユーザ情報管理テーブル（２４）に管理する（Ｓ１５）。
【００３０】
ユーザ情報管理機能（２３）でユーザ情報の管理が完了すると、ユーザ情報受付機能（２２）に対し完了通知が送信され、先に受信したＲＥＧＩＳＴＥＲメッセージ２を基に２００  ＯＫメッセージを編集する（Ｓ１６）。
【００３１】
その後、ネットワークレイヤの送信先ＩＰアドレスにＲＥＧＩＳＴＥＲメッセージ２のＶｉａヘッダに設定されているＩＰアドレス、送信元ＩＰアドレスにＳＩＰサーバ（２１）のアドレスを設定し、２００  ＯＫメッセージ１を送信する（Ｓ１７）。
【００３２】
２００  ＯＫメッセージ１は、まずＮＡＴ装置（３０）で受信され、ＮＡＴ機能（３１）が起動される。ＮＡＴ機能（３１）はＳＩＰ信号と認識するため、ＳＩＰ−ＡＬＧ装置（４０）に転送する（Ｓ１８）。
【００３３】
ＳＩＰ−ＡＬＧ装置（４０）では、ＮＡＴ装置（３０）から転送された２００ＯＫメッセージ１を受信すると、ＳＩＰプロトコル解析機能（４１）がＳＩＰヘッダの解析を行い、ＲＥＧＩＳＴＥＲメッセージの応答信号であることを把握し、また、Ｖｉａヘッダ、ＣｏｎｔａｃｔヘッダのＩＰｖ４アドレス（１２９．０．０．１）を抽出し、アドレス組登録・解放機能（４２）に渡す。なお、応答信号であるため、Ｅｘｐｉｒｅｓヘッダ部分の抽出は行わない（Ｓ１９）。
【００３４】
アドレス組登録・解放機能（４２）ではＩＰｖ４アドレス（１２９．０．０．１）を設定し、ＮＡＴ装置（３０）に対して送信し、アドレス組登録要求を送信する（Ｓ２０）。
【００３５】
ＮＡＴ装置（３０）でアドレス組登録要求を受信すると、ＮＡＴ機能（３１）は既に登録してあることを認識し、管理テーブル（３２）を参照し、ＩＰｖ４アドレス（１２９．０．０．１）に対するＩＰｖ６アドレス（３０００：：１）を抽出する（Ｓ２１）。
【００３６】
その結果、ＮＡＴ機能（３１）は、ＳＩＰ−ＡＬＧ装置（４０）のアドレス組登録・解放機能（４２）に対してアドレス組の登録応答にＩＰｖ６アドレス（３０００：：１）を設定して返送する（Ｓ２２）。
【００３７】
アドレス組登録・解放機能（４２）でアドレス組の登録応答を受信すると、受信したＩＰｖ６アドレス（３０００：：１）をＳＩＰプロトコル解析機能４１に渡す（Ｓ２３）。
【００３８】
ＳＩＰプロトコル解析機能（４１）はＶｉａヘッダ、ＣｏｎｔａｃｔヘッダのＩＰｖ４アドレス（１２９．０．０．１）をＩＰｖ６アドレス（３０００：：１）に変換し（Ｓ２４）、ＩＰｖ６アドレスに変換した２００  ＯＫメッセージ２を転送元のＮＡＴ装置（３０）に対して返送する（Ｓ２５）。
【００３９】
ＮＡＴ装置（３０）では、２００  ＯＫメッセージ２を受信し、ＮＡＴ機能（３１）がネットワークレイヤの送信先ＩＰｖ４アドレス（１２９．０．０．１）、送信先ＩＰｖ４アドレス（１２８．０．０．１）について、管理テーブルを参照することにより、それぞれＩＰｖ６アドレス（３０００：：１）、ＩＰｖ６アドレス（３０００：：８０００：１）に変換し、ＩＰ電話機（１１）に対して返送する（Ｓ２６）。
ＩＰ電話機（１１）では、２００  ＯＫメッセージ２を受信し、一連のＲＥＧＩＳＴＥＲ手順は完了する（Ｓ２７）。
【００４０】
以下、ＲＥＧＩＳＴＥＲ手順以降にＩＰｖ４ネットワーク（２０）に存在するＩＰ電話機（２６）から、先にＲＥＧＩＳＴＥＲメッセージによりユーザ情報を登録したＩＰｖ６ネットワークのＩＰ電話機（１１）に対して、ＳＩＰ信号を用いて通信を行う場合について、図１０〜図１１を用いて簡単に説明する。なお、図１０〜１１においては、Ｓ２８〜Ｓ３５の番号順で動作が行われる。また、図において記述しているＩＮＶＩＴＥメッセージは、主に本発明に必要な部分を記述し簡略化している。
【００４１】
ＩＰ電話機（２６）のユーザ（ユーザＢ）が、ＩＰ電話機（１１）を用いているユーザＡに対して通信を行う場合、ＩＰ電話機（２６）はＩＮＶＩＴＥメッセージを編集し、ＳＩＰサーバ（２１）に対して送信する（Ｓ２８）。
【００４２】
ＳＩＰサーバ（２１）の呼処理機能（２５）は、Ｔｏヘッダに記述されたユーザアドレス（ｕｓｅｒ−ａ＠ｉｐｖ６．ｎｅｔ）を、ユーザ情報管理テーブル（２４）を用いて検索し、使用しているＩＰ電話機のＩＰアドレスが１２９．０．０．１であることを取得する。また、ＶｉａヘッダにＳＩＰサーバ（２１）のＩＰｖ４アドレス（１２８．０．０．１）を追加する（Ｓ２９）。
【００４３】
その後、呼処理機能（２５）は、ネットワークレイヤの送信先ＩＰｖ４アドレスに１２９．０．０．１、送信元ＩＰｖ４アドレスに１２８．０．０．１を設定し、ＩＮＶＩＴＥメッセージ２を送信する（Ｓ３０）。
【００４４】
ＳＩＰサーバ（２１）から送信されたＩＮＶＩＴＥメッセージ２は、ＮＡＴ装置（３０）が受信し、ＳＩＰ−ＡＬＧ装置（４０）に転送する。また、ＳＩＰ−ＡＬＧ装置（４０）とＮＡＴ装置（３０）の間では、前述のユーザ情報登録時における２００  ＯＫメッセージ１受信時と同様手順により、アドレス組の登録要求及び応答を行い、ＳＩＰヘッダに設定されているＩＰｖ６アドレスをＩＰｖ４アドレスに変換し、ＮＡＴ装置（３０）に対してＩＮＶＩＴＥメッセージ３を送信する（Ｓ３１）。
【００４５】
ＮＡＴ装置（３０）では、ＩＮＶＩＴＥメッセージ３を受信し、ＮＡＴ機能（３１）がネットワークレイヤの送信先ＩＰｖ４アドレス（１２９．０．０．１）、送信元ＩＰｖ４アドレス（１２８．０．０．１）にＩＰｖ６アドレスに変換を行うが、既にそれらのアドレス組は管理テーブル（３２）に登録してあるため、管理テーブル（３２）を参照することにより、それぞれＩＰｖ６アドレス（３０００：：１）、ＩＰｖ６アドレス（３０００：：８０００：１）に変換し、ＩＰ電話機（１１）に対して送信する（Ｓ３２）。
【００４６】
ＩＰ電話機（１１）では、ＩＮＶＩＴＥメッセージ３を受信する（Ｓ３３）。
その後ＩＰ電話機（１１）は、ＳＩＰサーバ（２１）を経由してＩＰ電話機（２６）に対してＩＮＶＩＴＥの応答信号を送信する等、後続の処理を行うこととなるが、ＮＡＴ装置（３０）の管理テーブル（３２）でアドレス組が登録されているため、ＩＮＶＩＴＥメッセージ時と同様の手順でＳＩＰ信号送受信が可能となり、ＳＩＰサーバ（２１）でのユーザ情報の生存時間、ＮＡＴ装置（３０）でのアドレス組の生存時間が満了するまで、ＳＩＰ信号を用いた通信を行うことができる。
【００４７】
また、ＳＩＰサーバ（２１）でのユーザ情報の生存時間、及びＮＡＴ装置（３０）でのアドレス組の生存時間が満了すると、それぞれＳＩＰサーバ（２１）のユーザ情報（Ｓ３４）、ＮＡＴ装置（３０）のアドレス組が解放される（Ｓ３５）。
【００４８】
以上、本発明者によってなされた発明を、前記実施の形態に基づき具体的に説明したが、本発明は、前記実施の形態に限定されるものではなく、その要旨を逸脱しない範囲において種々変更可能であることは勿論である。
【００４９】
【発明の効果】
ユーザがＩＰアドレス形式の異なる２つのネットワークを跨いで、あるアプリケーションサーバにＩＰアドレスを登録し、登録後はそのＩＰアドレスを用いて当該ユーザヘのアクセスを行うといったサービスを行う場合において、本発明を施したＡＬＧ装置のアプリケーションプロトコル解析機能、及びアドレス組登録・解放機能を用いることで、サービスが可能となる。
また、ＡＬＧ装置もアプリケーションプロトコルに依存したタイマー値の時間中、アドレス組登録・解放要求機能関連のプロセスを保持する必要がないため、効率よく処理することが可能となる。
【図面の簡単な説明】
【図１】本発明の実施例のネットワーク構成を示す図である。
【図２】ＲＥＧＩＳＴＥＲ時のシーケンス例の１ページ目である。
【図３】ＲＥＧＩＳＴＥＲ時のシーケンス例の２ページ目である。
【図４】ＲＥＧＩＳＴＥＲ時のシーケンス例の３ページ目である。
【図５】ＲＥＧＩＳＴＥＲ時のシーケンス例の４ページ目である。
【図６】ＲＥＧＩＳＴＥＲ時のシーケンス例の５ページ目である。
【図７】ＲＥＧＩＳＴＥＲ時のシーケンス例の６ページ目である。
【図８】ＲＥＧＩＳＴＥＲ時のシーケンス例の７ページ目である。
【図９】ＲＥＧＩＳＴＥＲ時のシーケンス例の８ページ目である。
【図１０】登録後のＳＩＰ信号送受信の１ページ目である。
【図１１】登録後のＳＩＰ信号送受信の２ページ目である。
【符号の説明】
（１０）…ＩＰｖ６ネットワーク、（１１）…ＩＰ電話機、（１２）…ＩＰ電話機、（２０）…ＩＰｖ４ネットワーク、（２１）…ＳＩＰサーバ、（２２）…ユーザ情報受付機能、（２３）…ユーザ情報管理機能、（２４）…ユーザ情報管理テーブル、（２５）…呼処理機能、（２６）…ＩＰ電話機、（３０）…ＮＡＴ装置、（３１）…ＮＡＴ機能、（３２）…管理テーブル、（４０）…ＳＩＰ−ＡＬＧ装置、（４１）…ＳＩＰプロトコル解析機能、（４２）…アドレス組登録・解放機能、（５０）…ＲＥＧＩＳＴＥＲメッセージ１の内容、（５１）…ＲＥＧＩＳＴＥＲメッセージ２の内容、（５２）…２００  ＯＫメッセージ１の内容、（５３）…２００  ＯＫメッセージ２の内容、（５４）…ＩＮＶＩＴＥメッセージ１の内容、（５５）…ＩＮＶＩＴＥメッセージ２の内容、（５６）…ＩＮＶＩＴＥメッセージ３の内容
【図１】
2004166031.tif 000003
【図２】
2004166031.tif 000004
【図３】
2004166031.tif 000005
【図４】
2004166031.tif 000006
【図５】
2004166031.tif 000007
【図６】
2004166031.tif 000008
【図７】
2004166031.tif 000009
【図８】
2004166031.tif 000010
【図９】
2004166031.tif 000011
【図１０】
2004166031.tif 000012
【図１１】
2004166031.tif 000013